(57)【要約】【課題】入力ボタンの十分なクリック感および均一な発光を確保しつつ、薄型化を可能とする入力モジュールおよび携帯機器を提供する。【解決手段】入力モジュール１０は、メタルドームスイッチ１３と、メタルドームスイッチ１３に重なるように配置された導光板１６と、導光板１６上に配置され、メタルドームスイッチ１３と重なる位置に入力キー７を有し、入力キー７の導光板１６に対向する面に、入力キー７の平面形状よりも小さい平面形状を有する凸部１８が形成されたラバーシート１７とを備えている。そして、導光板１６には、凸部１８が挿入可能であって、メタルドームスイッチ１３の平面形状よりも小さい平面形状の穴１６Ｂが形成されている。【選択図】図３
2008235013.tif 000002
【特許請求の範囲】
【請求項１】
入力検知素子と、
前記入力検知素子に重なるように配置された導光板と、
前記導光板上に配置され、前記入力検知素子と重なる位置にボタン部分を有し、前記ボタン部分の導光板に対向する面に、前記ボタン部分の平面形状よりも小さい平面形状を有する凸部が形成された入力シートとを備え、
前記導光板には、前記凸部が挿入可能であって、前記入力検知素子の平面形状よりも小さい平面形状の穴が形成されている、入力モジュール。
【請求項２】
前記穴の周囲には、前記ボタン部分を光らせるための出射領域が形成されている、請求項１に記載の入力モジュール。
【請求項３】
前記導光板に光を供給する光源をさらに備え、
前記光源は、前記導光板の外周端面に対向する位置に配置されている、請求項１または２に記載の入力モジュール。
【請求項４】
請求項１〜３のいずれか１項に記載の入力モジュールを備えた、携帯機器。
【発明の詳細な説明】
【技術分野】
【０００１】
本発明は入力モジュールおよび携帯機器に関し、より特定的には、薄型化が可能な入力モジュールおよび携帯機器に関する。
【背景技術】
【０００２】
近年、携帯電話機、ＰＤＡ（Ｐｅｒｓｏｎａｌ  Ｄａｔａ  Ａｓｓｉｓｔａｎｔ）などの携帯機器においては、携帯を容易にする観点から一層の薄型化が進められており、入力モジュールにも薄型化の要求がある。また、携帯機器の高性能化に伴い、入力モジュールから比較的複雑な情報を入力する場合も多くなっている。そのため、情報の入力を容易にする観点から、入力モジュールのボタン（入力ボタン）のクリック感の向上が要求されている。さらに、外観デザイン上の観点および暗い場所での情報の入力を容易にする観点から、入力モジュールのボタン（入力用ボタン）が均一に発光することも求められている。
【０００３】
これに対し、ＬＥＤ（Ｌｉｇｈｔ  Ｅｍｉｔｔｉｎｇ  Ｄｉｏｄｅ；発光ダイオード）などの光源から供給される光を、導光板を用いて導光し、入力用ボタンを発光させる入力モジュールが提案されている（たとえば特許文献１および２参照）。これにより、ＬＥＤなどの光源を入力ボタンから離れた位置に配置することが可能となり、入力モジュールの薄型化が可能となる。
【特許文献１】特開２００６−３２４２４０号公報
【特許文献２】特開２００５−２６８１６５号公報
【発明の開示】
【発明が解決しようとする課題】
【０００４】
しかしながら、特許文献１に開示されているように、入力ボタンと、入力ボタンからの入力を検知する入力検知素子であるスイッチとの間に導光板が配置され、入力ボタンを押す力が導光板を介してスイッチに伝達される構成では、入力が行なわれた場合のクリック感が低下するという問題がある。一方、特許文献２に開示されているように、導光板にスイッチよりも大きな窓孔を設け、当該窓孔からスイッチ全体が露出している構成とすることにより、入力ボタンとスイッチとが直接接触することが可能となるため、クリック感の低下を回避することができる。しかし、この構成では、スイッチの平面形状よりも大きい平面形状を有する窓孔が導光板に形成されるため、入力ボタンの均一な発光が困難になるという問題がある。
【０００５】
そこで、本発明の目的は、入力ボタンの十分なクリック感および均一な発光を確保しつつ、薄型化を可能とする入力モジュールおよび携帯機器を提供することである。
【課題を解決するための手段】
【０００６】
本発明に従った入力モジュールは、入力検知素子と、当該入力検知素子に重なるように配置された導光板と、導光板上に配置され、入力検知素子と重なる位置にボタン部分を有し、当該ボタン部分の導光板に対向する面に、ボタン部分の平面形状よりも小さい平面形状を有する凸部が形成された入力シートとを備えている。そして、導光板には、上記凸部が挿入可能であって、入力検知素子の平面形状よりも小さい平面形状の穴が形成されている。
【０００７】
本発明の入力モジュールにおいては、入力検知素子に重なるように、導光板が配置されている。そのため、入力ボタンを構成するボタン部分に光を供給する光源を、ボタン部分から離れた位置に配置することができる。その結果、入力モジュールの薄型化が可能となっている。また、本発明の入力モジュールにおいては、導光板に、入力シートに形成された凸部が挿入可能な穴が形成されている。そのため、ボタン部分と入力検知素子とが直接接触することが可能となるため、クリック感の低下を回避することができる。さらに、導光板に形成された穴の平面形状は、入力検知素子の平面形状よりも小さい。そのため、導光板に形成すべき穴の平面形状を小さくすることが可能となり、ボタン部分の均一な発光の確保が容易となっている。以上のように、本発明の入力モジュールによれば、入力ボタンの十分なクリック感および均一な発光を確保しつつ、薄型化を可能とする入力モジュールを提供することができる。
【０００８】
なお、導光板に形成される上記穴の平面形状は、ボタン部分の平面形状よりも小さいことが好ましい。これにより、導光板に形成すべき穴の平面形状をより小さくすることが可能となり、ボタン部分の均一な発光の確保が一層容易となる。たとえば、上記穴の平面形状は、上記凸部の平面形状よりも僅かに大きく、かつ凸部の平面形状に沿った形状とすることができる。
【０００９】
上記入力モジュールにおいて好ましくは、導光板に形成される上記穴の周囲には、ボタン部分を光らせるための出射領域が形成されている。
【００１０】
上述のように、本発明の入力モジュールにおいては、導光板に形成される穴は、入力シートに形成された凸部が挿入可能であり、かつ入力検知素子の平面形状よりも小さい平面形状を有している。そして、当該穴の周囲にボタン部分を光らせるための出射領域が形成されることで、ボタン部分を均一に光らせることが容易となる。なお、出射領域は、導光板により導光された光を、ボタン部分に向けて出射させる領域であって、たとえば導光された光を乱反射させる乱反射領域とすることができる。
【００１１】
上記入力モジュールにおいて好ましくは、導光板に光を供給する光源をさらに備えている。そして、当該光源は、導光板の外周端面に対向する位置に配置されている。
【００１２】
このように、導光板の外周端面から光を供給する構成とすることにより、光源を配置するための穴を導光板に形成することなく、光源から導光板に光を供給することが可能となる。その結果、入力モジュールの製造が容易となる。
【００１３】
なお、光源は、１箇所に配置されてもよいが、複数箇所に配置されてもよい。複数箇所に配置される場合、当該複数の光源のうち少なくとも２つの光源は、導光板に対して異なった方向に光を供給する（入射する）ように配置されることが好ましい。これにより、ボタン部分を一層均一に発光させることが可能となる。
【００１４】
本発明に従った携帯機器は、上述の本発明の入力モジュールを備えている。上述のように、入力ボタンの十分なクリック感および均一な発光を確保しつつ、薄型化を可能とする本発明の入力モジュールを備えていることにより、本発明の携帯機器によれば、入力ボタンの十分なクリック感および均一な発光を確保しつつ、薄型化を可能な携帯機器を提供することができる。
【発明の効果】
【００１５】
以上の説明から明らかなように、本発明の入力モジュールおよび携帯機器によれば、入力ボタンの十分なクリック感および均一な発光を確保しつつ、薄型化を可能とする入力モジュールおよび携帯機器を提供することができる。
【発明を実施するための最良の形態】
【００１６】
以下、図面に基づいて本発明の実施の形態を説明する。なお、以下の図面において同一または相当する部分には同一の参照番号を付しその説明は繰り返さない。
【００１７】
図１は、本発明の一実施の形態における携帯機器としての携帯電話機を示す斜視模式図である。図２は、図１に示した携帯電話機の入力部を構成する入力モジュールを示す平面模式図である。図３は、図２の線分ＩＩＩ−ＩＩＩにおける部分断面模式図である。図１〜図３を参照して、本発明の一実施の形態における携帯電話機、入力モジュールおよび入力モジュールを構成する導光板を説明する。
【００１８】
図１に示すように、本発明に従った携帯電話機１は、入力部４と、当該入力部４とヒンジ部５を介して接続されている表示部３とを備える。入力部４と表示部３とは、ヒンジ部５を回転中心として回転することにより開閉可能になっている。表示部３には液晶表示装置（ＬＣＤ）を用いた表示装置６が設置されている。また、表示部３の表示装置６より上方（表示装置６から見てヒンジ部５が位置する側と反対側の表示部３の端部）にスピーカ８が設置されている。
【００１９】
入力部４には、電話番号やアルファベットなどの記号を入力するための入力キー７が複数個配置されている。また、入力部４においてヒンジ部５と接続される側と反対側の端部にはマイク９が設置されている。
【００２０】
上述した入力部４では、図２に示すように複数の入力キー７が設置された入力モジュール１０がその筐体内部に配置されている。すなわち、入力部４は、入力キー７が露出する複数の開口部が形成された筐体と、当該筐体内部に設置される図２に示すような入力モジュール１０を含む。上述した開口部では、入力モジュール１０の入力キー７が露出した状態になっている。
【００２１】
入力モジュール１０は、図３に示すように、基板１２と、メタルドームスイッチ１３と、このメタルドームスイッチ１３上に形成された保護膜１４と、導光板１６と、光源としてのＬＥＤ１５と、入力キー７が形成されたラバーシート１７とからなる。具体的には、図３に示すように、基板１２の上部表面上には複数のメタルドームスイッチ１３が設置されている。このメタルドームスイッチ１３は、図２に示した入力キー７の真下の領域（入力キー７が位置する領域と平面的に重なる領域）に設置されている。このメタルドームスイッチ１３および基板１２の上部表面を覆うように、保護膜１４が形成されている。保護膜１４の材料としては任意の材料を用いることができる。
【００２２】
保護膜１４上には、導光板１６が設置されている。導光板１６の材料としては、透光性の材料であれば任意の材料を用いることができ、たとえばポリカーボネート樹脂、アクリル系樹脂、シクロオレフィン系樹脂などを用いることができる。また、導光板１６の厚みは、キー入力による応力を伝えやすく、かつ光を通すのに有効な０．０２ｍｍ以上１．０ｍｍ以下とすることができる。導光板１６の平面形状は、図２に示すようにほぼ矩形状である。また、導光板１６において、図３に示すように入力キー７下に位置する部分には、発光領域となる反射部があり、たとえば複数の突起部であるドット１９が形成されている。この反射パターンとしてのドット１９は、導光板１６の裏面側（メタルドームスイッチ１３と対向する側の表面）に形成されている。ドット１９は、入力キー７と重なる領域に形成されている。このドット１９が形成された導光板１６の領域は、ボタン部分としての入力キー７を光らせるための出射領域１６Ａを構成する。このようなドット１９は、印刷法やプレスなどによって形成することができる。
【００２３】
さらに、導光板１６の、メタルドームスイッチ１３の中央部（最も高さの大きい部位を含む領域）に対向する領域には、導光板１６を厚み方向に貫通し、メタルドームスイッチ１３の平面形状よりも小さい平面形状の穴１６Ｂが形成されている。
【００２４】
また、導光板１６の受光端面２１と対向する位置には、基板１２上にＬＥＤ１５が設置されている。このＬＥＤ１５はその側面が発光面２５となっており、いわゆる側面発光の発光素子である。ＬＥＤ１５の発光面２５が受光端面２１と対向するように、ＬＥＤ１５は設置されている。
【００２５】
入力モジュール１０においては、図２に示すようにＬＥＤ１５が２つそれぞれ導光板１６の角部と対向する領域に配置されている。導光板１６においてＬＥＤ１５と対向する角部の端面は、図２に示すようにＬＥＤ１５の発光面２５と平行に延びる受光端面２１となっている。
【００２６】
また、別の観点から言えば、図２に示すように、２つのＬＥＤ１５は、それぞれ導光板１６の中央から見て異なる方向に（導光板１６の異なる角部に対向する位置に）配置されている。また、別の観点から言えば、ＬＥＤ１５の発光面２５に垂直な方向に延びる線分を考えた場合、２つのＬＥＤ１５の当該線分は互いに交差するようにＬＥＤ１５が配置されている。また、ＬＥＤ１５の当該線分が導光板１６のほぼ中央部で交差するように、ＬＥＤ１５は配置されている。また、別の観点から言えば、ＬＥＤ１５の発光面２５から出射する光について、最も発光強度が大きくなる方向をＬＥＤ１５の発光方向と規定した場合、２つのＬＥＤ１５はそれぞれの発光方向が互いに交差するように配置されている。また、当該発光方向は導光板１６の中央部に向かうように、ＬＥＤ１５が配置されていることが好ましい。
【００２７】
このようにすれば、導光板１６において、１つのＬＥＤ１５から出射した光が届かない領域（たとえば入力キー７と重なる領域から見てＬＥＤ１５とは反対側の領域）に、確実に他の１つのＬＥＤ１５から出射した光を供給することができる。このため、ＬＥＤ１５から到達した光の強度が弱くなる領域を少なくし、結果的に導光板１６の全面について光の強度の均一性を向上させることができる。
【００２８】
なお、ＬＥＤ１５は、図２においては２つ基板１２上に設置しているが、ＬＥＤ１５の数は２つに限られず１つでもよいし３つ以上としてもよい。複数個のＬＥＤ１５を設置する場合、導光板１６の中央部から見たときに複数のＬＥＤ１５がそれぞれ異なる方向に位置するように、複数のＬＥＤ１５を配置してもよい。
【００２９】
ＬＥＤ１５と導光板１６との上には、図３に示すようにラバーシート１７が配置されている。ラバーシート１７には、その表面が凸形状となった入力キー７が形成されている。また、この入力キー７の裏面側（ラバーシート１７において導光板１６と対向する側の面）には、入力キー７の平面形状よりも小さい平面形状を有する凸部１８が形成されている。この凸部１８は、入力キー７を携帯電話のユーザが押圧した場合にメタルドームスイッチ１３へと押圧力を確実に伝達するために形成されている。そして、この凸部１８は、上述の導光板１６に形成された穴１６Ｂに挿入されている。また、凸部１８は、図３に示すように、穴１６Ｂを貫通していてもよいし、貫通していなくてもよいが、少なくとも入力キー７が押された場合、導光板１６の変形を伴うことなく、メタルドームスイッチ１３を覆う保護膜１４に接触可能となっている。また、凸部１８は、入力キー７が押されていない状態で、メタルドームスイッチ１３を覆う保護膜１４に接触していてもよい。これにより、入力キー７を押した場合、良好なクリック感を得ることができる。なお、導光板１６およびラバーシート１７は、図２に示すように基板１２の一部の表面を覆うように配置され、他の部分に別構造の入力キーが配置されていてもよいが、入力モジュール１０の全ての入力キー７をラバーシート１７上に形成し、当該ラバーシート１７とほぼ同じ大きさの導光板１６を配置してもよい。
【００３０】
以上のように、本実施の形態における入力モジュール１０は、入力検知素子としてのメタルドームスイッチ１３と、メタルドームスイッチ１３に重なるように配置された導光板１６と、導光板１６上に配置され、メタルドームスイッチ１３と重なる位置にボタン部分としての入力キー７を有し、入力キー７の導光板１６に対向する面に、入力キー７の平面形状よりも小さい平面形状を有する凸部１８が形成された入力シートとしてのラバーシート１７とを備えている。そして、導光板１６には、凸部１８が挿入可能であって、メタルドームスイッチ１３の平面形状よりも小さい平面形状の穴１６Ｂが形成されている。
【００３１】
本実施の形態の入力モジュール１０においては、メタルドームスイッチ１３に重なるように、導光板１６が配置されているため、入力ボタンを構成する入力キー７に光を供給する光源としてのＬＥＤ１５を、入力キー７から離れた位置に配置することができる。その結果、入力モジュール１０の薄型化が可能となっている。また、本発明の入力モジュール１０においては、導光板１６に、ラバーシート１７に形成された凸部１８が挿入可能な穴１６Ｂが形成されている。そのため、入力キー７とメタルドームスイッチ１３とが直接接触することが可能となるため、クリック感の低下を回避することができる。さらに、導光板１６に形成された穴１６Ｂの平面形状は、メタルドームスイッチ１３の平面形状よりも小さい。そのため、導光板１６に形成すべき穴１６Ｂの平面形状を小さくすることが可能となり、入力キー７の均一な発光の確保が容易となっている。以上のように、本発明の入力モジュール１０は、入力ボタンの十分なクリック感および均一な発光を確保しつつ、薄型化された入力モジュール１０となっている。
【００３２】
さらに、本実施の形態の入力モジュール１０においては、導光板１６に形成された穴１６Ｂの周囲には、入力キー７を光らせるための出射領域１６Ａが形成されている。そして、当該出射領域１６Ａは、平面的に見て、入力キー７に重なる位置に形成されている。その結果、入力キー７を均一に光らせることが一層容易となっている。
【００３３】
さらに、本実施の形態の入力モジュール１０は、導光板１６に光を供給する光源としてのＬＥＤ１５を備えており、このＬＥＤ１５は、導光板１６の外周端面である受光端面２１に対向する位置に配置されている。
【００３４】
その結果、ＬＥＤ１５を配置するための穴を導光板１６に形成することなく、ＬＥＤ１５から導光板１６に光を供給することが可能となり、入力モジュール１０の製造が容易となっている。
【００３５】
また、本実施の形態における携帯機器としての携帯電話機１は、入力ボタンの十分なクリック感および均一な発光を確保しつつ、薄型化を可能とする本実施の形態の入力モジュール１０を備えていることにより、入力ボタンの十分なクリック感および均一な発光を確保しつつ、薄型化されている。
【００３６】
図４は、図２および図３に示した本発明の一実施の形態における入力モジュールの第１の変形例を示す部分平面模式図である。図５は、図４の線分Ｖ−Ｖにおける部分断面模式図である。図４および図５を参照して、本実施の形態における入力モジュールの第１の変形例を説明する。
【００３７】
図４および図５に示した入力モジュール１０は、基本的には図２および図３に示した入力モジュール１０と同様の構造を備えるが、導光板１６にＬＥＤ１５を挿入するための穴２２が形成されている点が異なる。すなわち、導光板１６においては、ＬＥＤ１５を配置する領域である角部に穴２２が形成されている。この穴２２は、保護膜１４上に導光板１６を配置した場合に、基板１２上に設置されたＬＥＤ１５を挿入可能な位置に形成されている。すなわち、導光板１６の２つの隣接する角部にそれぞれ穴２２が形成されている。そして、基板１２上に導光板１６を配置した場合に、ＬＥＤ１５は部分的に当該穴２２の内部に挿入された状態となる。このようにすれば、穴２２の内周側面を介してＬＥＤ１５から出射した光が導光板１６の内部に導入される。つまり、ＬＥＤ１５の周囲を穴２２の内周側面（導光板１６の端面）が囲んでいるので、より効率的にＬＥＤ１５から出射した光を導光板１６の内部に取込むことができる。
【００３８】
このような構成によっても、図２および図３に示した入力モジュール１０と同様の効果を得ることができる。
【００３９】
図６〜図８は、本発明の一実施の形態における入力モジュールの第２〜第４の変形例を説明するための部分平面模式図である。以下、図６〜図８を参照して、本実施の形態における入力モジュールの第２〜第４の変形例を説明する。なお、図６〜図８は入力モジュール１０において導光板１６およびラバーシート１７が配置された部分を部分的に示したものである。
【００４０】
図６に示すように、本実施の形態における入力モジュールの第２の変形例は、基本的には図４および図５に示した入力モジュール１０と同様の構造を備えるが、入力キー７の数および配置、および導光板１６とラバーシート１７の平面形状が異なっている。また、図６に示した入力モジュール１０は、導光板１６における穴２２およびＬＥＤ１５の配置も図４および図５に示した入力モジュール１０と異なっている。
【００４１】
すなわち、図６に示した入力モジュール１０では、マトリックス状に配置された入力キー７以外に、当該入力キー７のマトリックス状に配置された領域に隣接して別の入力キー７がさらに配置されている。このため、ラバーシート１７および導光板１６の平面形状は、これらのすべての入力キー７が形成された範囲を包含するような多角形状となっている。具体的には、ラバーシート１７および導光板１６の平面形状は変則的な六角形状（四角形の１つの辺に台形の長辺を接続したような形状）になっている。そして、この導光板１６の隣接する２つの角部に、それぞれ穴２２が形成されている。この穴２２に挿入されるようにＬＥＤ１５が配置されている。このような構成によっても、図４および図５に示した入力モジュールと同様の効果を得ることができる。
【００４２】
図７に示した本発明の一実施の形態における入力モジュールの第３の変形例は、基本的には図４および図５に示した入力モジュール１０と同様の構成を備えるが、入力キー７の数および配置、ラバーシート１７と導光板１６との平面形状、さらにはＬＥＤ１５の配置が異なっている。具体的には、ラバーシート１７において、マトリックス状に配置された入力キー７に隣接してさらに別の入力キー７が配置されている。このため、ラバーシート１７および導光板１６は、矩形状の平面形状から部分的に長方形状の領域を端部から除去したような多角形状（大きさの異なる四角形状を接続したような多角形状）となっている。そして、導光板１６においては、導光板１６の突出した部分における角部に穴２２が１つ形成され、他の角部にもう１つの穴２２が形成されている。この穴２２に挿入された状態で、基板１２上にＬＥＤ１５が配置されている。このような構成によっても、図４および図５に示した入力モジュールと同様の効果を得ることができる。
【００４３】
図８を参照して、本発明の一実施の形態における入力モジュールの第４の変形例は、基本的には図４および図５に示した入力モジュール１０と同様の構成を備えるが、入力キー７の配置および数、さらにラバーシート１７および導光板１６の形状が図４および図５に示した入力モジュール１０とは異なっている。具体的には、図８に示した入力モジュール１０のラバーシート１７においては、それぞれが矩形状の入力キー７が整列した状態で形成されるとともに、平面形状が楕円形状の他の入力キー７がラバーシート１７の端部に形成されている。このため、ラバーシート１７および導光板１６は、四角形の１つの辺の中央部が半円状に外側へと膨らんだような平面形状を有している。そして、導光板１６の隣接する角部に、それぞれ穴２２が形成されている。当該穴２２に挿入された状態で、ＬＥＤ１５が配置されている。このような形状の導光板１６およびラバーシート１７を備える入力モジュール１０においても、図４および図５に示した入力モジュールと同様の効果を得ることができる。
【００４４】
上記実施の形態においては、携帯機器の一例として携帯電話機について説明したが、本発明の携帯機器はこれに限定されるものではなく、ＰＤＡ、ノート型パーソナルコンピュータなどであってもよい。
【００４５】
今回開示された実施の形態はすべての点で例示であって、制限的なものではないと考えられるべきである。本発明の範囲は上記した説明ではなくて特許請求の範囲によって示され、特許請求の範囲と均等の意味、および範囲内でのすべての変更が含まれることが意図される。
【産業上の利用可能性】
【００４６】
本発明の入力モジュールおよび携帯機器は、薄型化が要求される入力モジュールおよび携帯機器に、特に有利に適用され得る。
【図面の簡単な説明】
【００４７】
【図１】本発明の一実施の形態における携帯機器としての携帯電話機を示す斜視模式図である。
【図２】図１に示した携帯電話機の入力部を構成する入力モジュールを示す平面模式図である。
【図３】図２の線分ＩＩＩ−ＩＩＩにおける部分断面模式図である。
【図４】本発明の一実施の形態における入力モジュールの第１の変形例を示す部分平面模式図である。
【図５】図５は、図４の線分Ｖ−Ｖにおける部分断面模式図である。
【図６】本発明の一実施の形態における入力モジュールの第２の変形例を説明するための部分平面模式図である。
【図７】本発明の一実施の形態における入力モジュールの第３の変形例を説明するための部分平面模式図である。
【図８】本発明の一実施の形態における入力モジュールの第４の変形例を説明するための部分平面模式図である。
【符号の説明】
【００４８】
１  携帯電話機、３  表示部、４  入力部、５  ヒンジ部、６  表示装置、７  入力キー、８  スピーカ、９  マイク、１０  入力モジュール、１２  基板、１３  メタルドームスイッチ、１４  保護膜、１６  導光板、１６Ａ  出射領域、１６Ｂ  穴、１７  ラバーシート、１８  凸部、１９  ドット、２１  受光端面、２２  穴、２５  発光面。
【図１】
2008235013.tif 000003
【図２】
2008235013.tif 000004
【図３】
2008235013.tif 000005
【図４】
2008235013.tif 000006
【図５】
2008235013.tif 000007
【図６】
2008235013.tif 000008
【図７】
2008235013.tif 000009
【図８】
2008235013.tif 000010